【手続補正書】
【提出日】平成16年4月23日(2004.4.23)
【手続補正１】
【補正対象書類名】明細書
【補正対象項目名】全文
【補正方法】変更
【補正の内容】
【発明の名称】電気掃除機
【特許請求の範囲】
【請求項１】前部に塵埃を蓄積する集塵室を、後部に塵埃吸引用の電動送風機をそれぞれ内蔵した本体と、前記本体前部に接続するホースと、前記本体の両側に設けた一対の床移動用の車輪を備え、前記車輪の回転中心を本体重心の後部近傍に配置し、ホースを前方に引いて本体を移動した場合及び、ホースを上方に持ち上げた場合に前記両側の車輪のみで走行するようにし、前記車輪より後方の本体の底面を床面に対して後部が持ち上げられた傾斜面とし、前記車輪のみでの走行に対し、本体の傾斜面が床面に接触しないようにするとともに、前記傾斜面に床面方向に突出する回動自在なアーム部を配置して、前記アーム部および本体後部に設けたレスト部にて本体後部を床面に載置する電気掃除機。
【請求項２】アーム部を傾斜面に設けた凹部収納部に回動自在に収納する請求項１記載の電気掃除機。
【請求項３】アーム部の先端に電気掃除機本体の進行方向に回転自在な車輪を設けた請求項１または２記載の電気掃除機。
【請求項４】アーム部の先端に電気掃除機本体の進行方向に直交する方向に回転自在な車輪を設けた請求項１または２記載の電気掃除機。
【発明の詳細な説明】
【０００１】
【発明の属する技術分野】
本発明は、一般家庭で使用される電気掃除機に関するもので、本体の車輪取り付け位置に関するものである。
【０００２】
【従来の技術】
従来の電気掃除機を、図８を用いて説明する。すなわち、電気掃除機の本体１の略中央に移動用の車輪２が両側に設けられて、前記車輪２の前部および後部にそれぞれ第１のキャスター３と第２のキャスター４が床面に水平に回転自在に配置されている。前記本体１の前部には接続パイプ５床面に略水平方向に挿入され取り付けられ、この接続パイプ５の端部にはホース６が接続されているものが一般的であった。
【０００３】
【発明が解決しようとする課題】
従来の電気掃除機にあっては、電気掃除機の本体１を掃除する際に前方に引っ張ったり矢印Ａ方向にホース６を持ち上げた際に、移動用車輪２を回転中心として本体１が持ち上げられるため、車輪２後方に配置した第２のキャスター４が矢印Ｂ方向の床面に押し付けられ、本体１の動きが妨げられるものとなっていた。
【０００４】
また、本体１を収納する際に本体１の後面のレスト部として幅Ｃが必要なため、本体１の小型化や前述のホース６の持ち上げ時に第２のキャスター４が床面に当たらないように空間を設けることができないものであった。
【０００５】
本発明は、以上のような従来の課題を解決しようとするもので、ホースの持ち上げ等が生じても本体の動きの妨げにならない電気掃除機を提供することを目的とするものである。
【０００６】
【課題を解決するための手段】
上記目的を達成するために本発明は、車輪の回転中心を本体重心の後部近傍に配置し、ホースを前方に引いて本体を移動した場合及び、ホースを上方に持ち上げた場合に前記両側の車輪のみで走行するようにし、前記車輪より後方の本体の底面を床面に対して後部が持ち上げられた傾斜面とし、前記車輪のみでの走行に対し、本体の傾斜面が床面に接触しないようにするとともに、前記傾斜面に床面方向に突出する回動自在なアーム部を配置して、前記アーム部および本体後部に設けたレスト部にて本体後部を床面に載置するものである。
【０００７】
この構成によれば、ホースを前方に引いて本体を移動した場合及び、ホースを上方に持ち上げた場合に前記両側の車輪のみで走行するようにすることができ、外径の大きい車輪にて本体重量を支持するため、引張力が軽減されるとともに回転性が向上するものである。また、前記車輪より後方の本体の底面を床面に対して傾斜面とすることによりホースの上方向への持ち上げに対して本体底面が床面に接触しないため、ホースを持ち上げた状態で移動をしても本体底面には車輪のみしか接触せずスムーズに移動できるものである。
【０００８】
さらに、前記傾斜面に床面方向に突出する回動自在なアーム部を配置することにより、本体をホースにて持ち上げられても本体底面が当たることがなくかつ本体を立てて収納する際には前記アーム部が傾斜面より突出しているため、本体後部に設けたレスト部とで電気掃除機本体を立てて収納する時の収納安定性を確保できるものである。
【０００９】
【発明の実施の形態】
本発明の請求項１記載の発明は、前部に塵埃を蓄積する集塵室を、後部に塵埃吸引用の電動送風機をそれぞれ内蔵した本体と、前記本体前部に接続するホースと、前記本体の両側に設けた一対の床移動用の車輪を備え、前記車輪の回転中心を本体重心の後部近傍に配置し、ホースを前方に引いて本体を移動した場合及び、ホースを上方に持ち上げた場合に前記両側の車輪のみで走行するようにし、前記車輪より後方の本体の底面を床面に対して後部が持ち上げられた傾斜面とし、前記車輪のみでの走行に対し、本体の傾斜面が床面に接触しないようにするとともに、前記傾斜面に床面方向に突出する回動自在なアーム部を配置して、前記アーム部および本体後部に設けたレスト部にて本体後部を床面に載置するものである。
【００１０】
この構成によれば、ホースを前方に引いて本体を移動した場合及び、ホースを上方に持ち上げた場合に前記両側の車輪のみで走行するようにすることができ、外径の大きい車輪にて本体重量を支持するため、引張力が軽減されるとともに回転性が向上するものである。また、前記車輪より後方の本体の底面を床面に対して傾斜面とすることによりホースの上方向への持ち上げに対して本体下底面が床面に接触しないため、ホースを持ち上げた状態で移動をしても本体底面には車輪のみしか接触せずスムーズに移動できるものである。
【００１１】
さらに、前記傾斜面に床面方向に突出する回動自在なアーム部を配置することにより、本体をホースにて持ち上げられても本体底面が当たることがなくかつ本体を立てて収納する際には前記アーム部が傾斜面より突出しているため、本体上に設けたレスト部とで電気掃除機本体を立てて収納する時の収納安定性を確保できるものである。
【００１２】
本発明の請求項２記載の発明は、請求項１記載の発明におけるアーム部を、傾斜面に設けた凹部収納部に回動自在に収納するもので、この構成によれば、アーム部が凹部収納部に収納されるので、ホースを持ち上げた際にアーム部が床面に接触しても、アーム部は傾斜面より内方の凹部収納部まで移動することができるので、傾斜面と床面との間隔を大きくとることができ、本体の移動性能を高めることができる。
【００１３】
本発明の請求項３記載の発明は、請求項１，２記載の発明におけるアーム部の先端に本体の進行方向に回転自在な小車輪を設けることにより、ホースを持ち上げた状態で本体を引っ張る際に床面にアーム部が接触しても傷つくことがないものである。
【００１４】
本発明の請求項４記載の発明は、、請求項１，２記載の発明におけるアーム部の先端に本体の進行方向に直交する方向に回転自在な小車輪を設けることにより、ホースを持ち上げた状態で本体を回転させたとき前述の小車輪と本体両側の車輪にて回転するためアーム部が床面に接してもスムーズに回転できるものである。
【００１５】
【実施例】
（実施例１）
以下、本発明の第１の実施例を、図１〜図５を用いて説明する。
【００１６】
図１において、１０は前部に塵埃を蓄積する紙袋１１を内蔵する集塵室１２を、後部に塵埃吸引用の電動送風機１３を内蔵した本体下であり、本体下１０の上部には前記集塵室１２および電動送風機１３を覆うように蓋体１４及び本体上１５が載置されており、緩衝用のバンパー１６が本体下１０と蓋体１４の間に挾持されている。これら本体下１０，本体上１５，蓋体１４により電気掃除機の本体を構成している。
【００１７】
１７は本体下１０の両側面に一対に設けられた移動用の車輪であり、その回転軸１８の中心位置は電気掃除機本体１９の重心Ｇの後方近傍に設けられている。また車輪１７の前部には、床面２０接地時の安定性を確保するためのキャスターローラー２１が設けられている。
【００１８】
本体下１０の車輪１７より後方は、床面２０との間に３０度以上の角度イを有する傾斜面２２が設けられている。前記傾斜面２２には矢印ロ方向に回動自在な第１のアーム部２３が設けられ、バネ体２４にて矢印ハ方向に付勢され、前記アーム部２３を収納する凹部収納部２５が前記傾斜面２２に設けられている。
【００１９】
２６は本体上１５に一体的に設けられたレスト部２６であり、前記第１のアーム部２３が矢印ハ方向に付勢された時その端面が略同一となる面２７に接するように形成されている。
【００２０】
図１，２において、電気掃除機の本体１９の前部には床面に対して平行に挿入される接続パイプ２９が取り付けられ、この接続パイプ２９の端部にホース２８が接続されている。ホース２８の他端側には先端パイプ３０が設けられており、延長管３１の一端側が着脱自在に連結される。また延長管３１の先端には床用吸い込み具３２が着脱自在に設けられている。
【００２１】
上記構成による作用は以下の通りである。
【００２２】
掃除を行う状態において図２、３に示すように先端パイプ３０を持った使用者３３が矢印ニ方向にホース２８を引くことにより、接続パイプ２９に矢印ホ方向の持ち上げ力が生じると、図１に示すように車輪１７の近傍に重心Ｇを設けていることにより重心Ｇが後方に移動しキャスターローラー２１が床面２０より離れ図３に示すように車輪１７の２輪のみで床面２０を走行できるものである。
【００２３】
さらに、電気掃除機の本体１９をホース２８にて図４に示すように矢印へ方向に持ち上げても、図１にて示す傾斜面２２にて空間が確保されているとともに、矢印ロ方向に回動自在な第１のアーム部２３が床面２０接地後は回動するため、本体１９を持ち上げても常に車輪１７が床面２０に接した状態を維持でき、持ち上げた状態で本体１９を引っ張っても床面２０に傷がつかないものである。
【００２４】
さらにまた、図５に示すように、電気掃除機の本体１９を立てて収納する際には、矢印ハ方向に付勢された第１のアーム部２３と本体上１５のレスト部２６にて幅トの間で床面２０に置くことができるものである。
【００２５】
（実施例２）
次に本発明の第２の実施例を図６を用いて説明する。なお上記第１の実施例と同一構成部品については同一符号を付して、その説明を省略する。
【００２６】
図６において、３４は先端に回動自在な第１の小車輪３５を設けた第２のアーム部であり、実施例１と同様にハ方向にバネ体２４で付勢され矢印ロ方向に回動自在となっている。
【００２７】
上記構成による作用は以下の通りである。
【００２８】
電気掃除機本体１９が持ち上げられ床面２０に前記第２のアーム部３４に取り付けられた第１の小車輪３５が接地することにより床面２０を傷つける事なく走行できるものであるとともに立てて収納する際にも引きずる事なく立てられるものである。
【００２９】
（実施例３）
次に本発明の第３の実施例を図７を用いて説明する。なお上記第１の実施例と同一構成部品については同一符号を付して、その説明を省略する。
【００３０】
図７において、３６は第３のアーム部であり、その先端には第３のアーム部３６と直交する方向、すなわち、電気掃除機の進行方向に対して直交する方向に回転自在な第２の小車輪３７が設けられており、実施例１と同様にハ方向にバネ体２４で付勢され矢印ロ方向に回動自在となっている。
【００３１】
上記構成による作用は以下の通りである。
【００３２】
電気掃除機本体１９が持ち上げられ床面２０に前記第３のアーム部３６に取り付けられた第２の小車輪３７が接地することにより床面２０を電気掃除機本体１９の両側面の車輪１７と第２の小車輪３７にて回転させることができるものである。
【００３３】
なお、上記各実施例では、アーム部がバネ体２４により床面方向に常時付勢され突出する構成とし、本体１９を立てて収納する際に、アーム部を凹部収納部から引き出す必要がないようにし、使い勝手を向上させているが、掃除中にはアーム部を凹部収納部もしくは傾斜面に沿って保持するようにし、本体１９を立てて収納する場合には、凹部収納部もしくは傾斜面の保持状態を解除してアーム部を床面方向に突出させるようにしてもよい。
【００３４】
【発明の効果】
本発明の請求項１記載の発明によれば、車輪を本体重心の後方近傍に設けることにより、ホースの持ち上げ力にて走行時のみ本体を２輪走行させることができるため直進性回転性に優れたものとなると共に、車輪より後方を傾斜面にて構成し回動自在なアーム部を設けることにより、本体が持ち上げられても本体底面が床面に当たる事なく、かつ立てて収納する際にはアーム部にて安定した姿勢で収納できるものである。
【００３５】
本発明の請求項２記載の発明によれば、アーム部が凹部収納部に収納されるので、ホースを持ち上げた際にアーム部が床面に接触しても、アーム部は傾斜面より内方の凹部収納部まで移動することができるので、傾斜面と床面との間隔を大きくとることができ、本体の移動性能を高めることができる。
【００３６】
本発明の請求項３記載の発明によれば、アーム部に設けた小車輪にて床面接地させることにより、持ち上げたままでの前方への走行や立てて収納する際のさそいとなり、床面を傷つける事なく操作できるものである。
【００３７】
本発明の請求項４記載の発明によれば、アーム部に直行するように小車輪を設けたことにより、本体前方を持ち上げたままで回転を行っても、本体の車輪及び小車輪にて回転がスムーズに行えるものである。
【図面の簡単な説明】
【図１】本発明の第１の実施例を示した電気掃除機の側面図
【図２】同電気掃除機の全体側面図
【図３】同電気掃除機の全体側面図
【図４】同電気掃除機の電気掃除機の側面図
【図５】同電気掃除機の電気掃除機の側面図
【図６】本発明の第２実施例を示した電気掃除機の側面図
【図７】本発明の第３実施例を示した電気掃除機の側面図
【図８】従来の電気掃除機の側面図
【符号の説明】
１０  本体下
１１  紙袋
１２  集塵室
１３  電動送風機
１４  蓋体
１５  本体上
１７  車輪
１８  回転軸
１９  電気掃除機の本体
２０  床面
２１  キャスターローラー
２２  傾斜面
２３  第１のアーム部
２４  バネ体
２５  凹部収納部
２６  レスト部
２８  ホース
３１  延長管
３４  第２のアーム部
３５  第１の小車輪
３６  第３のアーム部
３７  第２の小車輪


【手続補正２】
【補正対象書類名】図面
【補正対象項目名】図１
【補正方法】変更
【補正の内容】
【図１】
1999004787.tif 000001